(57)【要約】      （修正有）【課題】体積を最小化して携帯性を高め、こすれによるイオン発生ヘッドの損傷及びイオンマッサージの機能の低下を防止し、皮膚と頻繁に接触するイオン発生ヘッドを自動で殺菌することができる折り畳み式イオンマッサージ装置を提供する。【解決手段】上板のヘッド２１０に内蔵されて陽イオンまたは陰イオンを出力するイオン出力部と、ヘッド２１０に内蔵された超音波出力部と、上板下板との間を回動可能に連結し、上板と下板を広げたとき上板と下板との間の角度が９０°以上になるように支持するヒンジ部２３０と、ヒンジ部２３０の動きを磁気的に感知し、上板と下板とを広げた状態かどうかを示す折り畳み状態感知信号を出力する折り畳み状態感知部と、下板に内蔵され、ヘッド２１０との対応位置から折り畳み状態感知信号に従って殺菌用紫外線を放出する紫外線出力部２２０とを含む。【選択図】図１
2008073498.tif 000002
【特許請求の範囲】
【請求項１】
上板のヘッドに内蔵されて陽イオンまたは陰イオンを出力するイオン出力部、
前記ヘッドに内蔵されて３ＭＨｚ以上の高周波を出力する超音波出力部、
前記上板と、前記上板と接触するように設計された下板との間を回動可能に連結し、前記上板と前記下板とを広げたとき、前記上板と前記下板との間の角が９０°以上になるように支持するヒンジ部、
前記ヒンジ部の動きを磁気的に感知し、前記上板と下板とを広げた状態であるかどうかを示す折り畳み状態感知信号を出力する折り畳み状態感知部、及び
前記下板に内蔵され、前記ヘッドとの対応位置から前記折り畳み状態感知信号に従って殺菌用紫外線を放出する紫外線出力部
を含むことを特徴とする折り畳み式イオンマッサージ装置。
【請求項２】
請求項１記載の折り畳み式イオンマッサージ装置において、
前記紫外線出力部は、前記ヘッドを殺菌するための殺菌用紫外線ＬＥＤを含み、前記折り畳み状態感知信号に従って、前記上板と下板とを折り畳んだときに、前記殺菌用紫外線ＬＥＤを通して殺菌用紫外線を予め設定された殺菌時間の間放出することを特徴とする折り畳み式イオンマッサージ装置。
【請求項３】
請求項２記載の折り畳み式イオンマッサージ装置において、
前記折り畳み状態感知部は、磁気的なエネルギーを電圧に変換するホール素子を含み、前記ヒンジ部の動きによる電圧信号である折り畳み状態感知信号を出力することを特徴とする折り畳み式イオンマッサージ装置。
【請求項４】
請求項１記載の折り畳み式イオンマッサージ装置において、
前記ヘッドに内蔵され、接触する皮膚に流れる電流量を用いて前記皮膚の水分程度を検出し、前記検出された水分程度による水分感知信号を出力する水分感知部、
前記水分感知信号を用いて前記皮膚のタイプを決定する皮膚タイプ検出部、及び
前記決定された皮膚のタイプを視覚的に表示するディスプレイ部
をさらに含むことを特徴とする折り畳み式イオンマッサージ装置。
【請求項５】
請求項４記載の折り畳み式イオンマッサージ装置において、
前記ヒンジ部の動きを磁気的に感知し、前記上板と下板とを広げた状態であるかどうかを示す折り畳み状態感知信号を出力する折り畳み状態感知部、及び
前記折り畳み状態感知信号を用いて、前記上板と下板とを広げたときに前記ディスプレイ部に光源を提供するバックライト部
をさらに含むことを特徴とする折り畳み式イオンマッサージ装置。
【請求項６】
請求項４記載の折り畳み式イオンマッサージ装置において、
前記ディスプレイ部は、前記決定された皮膚のタイプに従って、しかめた顔形状、微笑む顔形状又は笑う顔形状のうち何れか一つを表示することを特徴とする折り畳み式イオンマッサージ装置。
【請求項７】
請求項１記載の折り畳み式イオンマッサージ装置において、
使用者入力のためのインターフェースを提供するスイッチ部、
前記使用者入力に従って、前記イオン出力部のイオン出力周期及び前記超音波出力部の高周波出力周期を決定するモード選択部、及び
前記モード選択部によって決定されたイオン出力周期及び高周波出力周期に従って、前記イオン出力部及び前記超音波出力部を制御するマッサージ制御部
をさらに含むことを特徴とする折り畳み式イオンマッサージ装置。
【請求項８】
請求項７記載の折り畳み式イオンマッサージ装置において、
前記イオン出力周期に従って陽イオンまたは陰イオンを生成し、前記生成された陽イオンまたは陰イオンを前記イオン出力部に出力するイオン生成部、及び
前記高周波出力周期に従って高周波を発振させ、前記高周波を前記超音波出力部に伝達する超音波発振部
をさらに含むことを特徴とする折り畳み式イオンマッサージ装置。
【請求項９】
請求項７記載の折り畳み式イオンマッサージ装置において、
前記イオン出力周期及び高周波出力周期によるモード情報と、前記スイッチ部によって入力され、前記イオン出力及び高周波出力を特定時間に終了させるためのタイマー情報とを音響で出力するブザー
をさらに含むことを特徴とする折り畳み式イオンマッサージ装置。
【請求項１０】
請求項７記載の折り畳み式イオンマッサージ装置において、
ＰＣから予め測定された皮膚タイプ情報をダウンロードし、或いは前記マッサージ制御部のための制御プログラムをダウンロードするインターフェースを提供するＵＳＢインターフェース部
をさらに含むことを特徴とする折り畳み式イオンマッサージ装置。
【発明の詳細な説明】
【技術分野】
【０００１】
本発明は、イオンマッサージ装置に関するもので、詳しくは、折り畳み式イオンマッサージ装置に関する。
【背景技術】
【０００２】
一般に、イオンマッサージ装置は、電気の導電性を用いて人体に全く害のない陰イオン及び陽イオンを皮膚に伝達させることで、皮膚の角質層を通過して皮膚の真皮組織に到達し、 皮膚の特性上作用しにくい化粧品などを作用させるための装置である。
【０００３】
図１１は、従来のイオンマッサージ装置１００を示す図である。
【０００４】
図１１に示すように、従来のイオンマッサージ装置１００においては、その前面にイオン発生ヘッド１１０が位置する。このイオン発生ヘッド１１０は、皮膚に直接接触するもので、内部のインバータゲート（図示せず）に接続されてイオンを放出する。操作ボタン１２０は、電源をオン／オフするためのキーによって構成される。また、イオンマッサージ装置１００の背面には、インバータゲート（図示せず）のための電極を形成するタッチ部（図示せず）が位置する。
【０００５】
しかしながら、従来のイオンマッサージ装置は、長い棒状であり、主要な使用者である女性たちが携帯するには体積が大きく、イオン発生ヘッドがこすれによって容易に損傷する。さらに、イオン発生ヘッドの損傷の程度によってイオンマッサージの機能が低下し、皮膚と頻繁に接触するイオン発生ヘッドを容易に殺菌できないという問題点があった。
【発明の開示】
【発明が解決しようとする課題】
【０００６】
本発明は、上記の問題点を解決するためになされたもので、その目的は、体積を最小化して携帯性を高め、こすれによってイオン発生ヘッドが損傷することを防止し、このイオン発生ヘッドの損傷の程度によってイオンマッサージの機能が低下することを防止し、皮膚と頻繁に接触するイオン発生ヘッドを自動で殺菌することができる折り畳み式イオンマッサージ装置を提供することにある。
【課題を解決するための手段】
【０００７】
本発明は、上板のヘッドに内蔵されて陽イオンまたは陰イオンを出力するイオン出力部、前記ヘッドに内蔵されて３ＭＨｚ以上の高周波を出力する超音波出力部、前記上板と、前記上板と接触するように設計された下板との間を回動可能に連結し、前記上板と前記下板とを広げたとき、前記上板と前記下板との間の角が９０°以上になるように支持するヒンジ部、前記ヒンジ部の動きを磁気的に感知し、前記上板と下板とを広げた状態であるかどうかを示す折り畳み状態感知信号を出力する折り畳み状態感知部、及び前記下板に内蔵され、前記ヘッドとの対応位置から前記折り畳み状態感知信号に従って殺菌用紫外線を放出する紫外線出力部を含む折り畳み式イオンマッサージ装置を提供する。
【発明の効果】
【０００８】
本発明によれば、イオンマッサージ装置の体積を最小化して携帯性を高め、こすれによってイオン発生ヘッドが損傷することを防止し、このイオン発生ヘッドの損傷程度によってイオンマッサージの機能が低下することを防止し、皮膚と頻繁に接触するイオン発生ヘッドを自動で殺菌することができる。
【発明を実施するための最良の形態】
【０００９】
以下、本発明の好ましい実施の形態を、図面に基づいて説明する。本発明の実施形態は、多様な形態に変形可能であり、本発明の範囲がこれら実施形態に限定されることはない。
【００１０】
図１〜図５は、本発明の一実施形態に係る折り畳み式イオンマッサージ装置の外観図である。
【００１１】
図１に示すように、本発明に係るイオンマッサージ装置の上板には、ヘッド２１０が位置する。このヘッド２１０には、図６に示すように、陽イオンまたは陰イオンを出力するイオン出力部３６２及び３MHz以上の高周波を出力する超音波出力部３６３が内蔵される。
【００１２】
ヒンジ部２３０は、上板と、この上板に接触するように設計された下板との間を回動可能に連結するもので、上板と下板とを広げたとき、上板と下板との間の角が９０°以上になるように支持する。
【００１３】
紫外線出力部２２０は、下板に内蔵されるもので、ヘッド２１０との対応位置から折り畳み状態感知信号に従って殺菌用紫外線を放出する。
【００１４】
一方、上板または下板には、イオンマッサージ装置の状態を使用者が容易に把握できるように設計されたランプ（図示せず）が付着される。このランプは、明るさ、色相、点滅周期に従って各種のメッセージを使用者に伝達できる。
【００１５】
好ましくは、ヘッド２１０が位置した上板には、顕微鏡カメラ２４１が配置される。この顕微鏡カメラ２４１は、接触する皮膚を撮影して皮膚状態を測定する。このとき、測定された皮膚状態は、ディスプレイ部２８０，３８０，４８０によって視覚的に表示される。
【００１６】
また、上板または下板には、当業者の必要に応じてブザー４９５（図７）が付着される。このブザー４９５は、イオン出力周期及び高周波出力周期によるモード情報と、スイッチ部４１０によって入力され、イオン出力及び高周波出力を特定時間に終了させるためのタイマー情報とを音響で出力する。
【００１７】
下板には、各種操作ボタン２４２〜２４４からなるスイッチ部が付着される。各種操作ボタン２４２〜２４４は、必要に応じて上板に付着されることもある。
【００１８】
また、下板には、ディスプレイ部２８０，３８０，４８０が付着される。このディスプレイ部２８０，３８０，４８０は、イオンマッサージ装置のバッテリー状態、動作状態または皮膚タイプ検出部３７０によって決定された皮膚タイプに対する情報を表示したり、各種の操作ボタン２４２〜２４４によって入力されたタイマー情報を表示したりする。このとき、タイマー情報は、イオン出力及び高周波出力を特定時間に終了させるための情報である。
【００１９】
図２及び図４に示すように下板の側面に設置されたＵＳＢインターフェース部２５０は、ＰＣから予め測定された個人の皮膚タイプ及びその他の情報をダウンロードしたり、イオンマッサージ装置の制御プログラムをダウンロードするためのインターフェースを提供する。
【００２０】
下板の背面には、図５に示すように、着脱式バッテリー２６０が装着される。この着脱式バッテリー２６０は、充放電可能な形態であり、リチウムイオンタイプ、リチウムポリマータイプなどを用いることができる。
【００２１】
図６は、本発明の実施形態に係る折り畳み式イオンマッサージ装置のブロック図である。
【００２２】
スイッチ部３１０は、モード選択、タイマー情報入力などの使用者入力のためのインターフェースを提供する。
【００２３】
モード選択部３２０は、使用者入力に従ってイオン出力部３６２のイオン出力周期及び超音波出力部３６３の高周波出力周期を決定する。
【００２４】
マッサージ制御部３３０は、モード選択部３２０によって決定されたイオン出力周期及び高周波出力周期に従って、イオン出力部３６２及び超音波出力部３６３を制御する。
【００２５】
折り畳み状態感知部３４０は、ヒンジ部２３０に連結されてヒンジ部２３０の動きを磁気的に感知し、上板と下板とを広げた状態であるかどうかを示す折り畳み状態感知信号を出力する。好ましくは、折り畳み状態感知部３４０は、磁気的なエネルギーを電圧に変換するホール素子を含み、ヒンジ部２３０の動きによる電圧信号である折り畳み状態感知信号を出力できる。
【００２６】
紫外線出力部３５０は、ヘッド３６０を殺菌するための殺菌用紫外線ＬＥＤを含み、折り畳み状態感知信号に従って、上板と下板とを折り畳んだときに、殺菌用紫外線ＬＥＤを通して殺菌用紫外線を予め設定された殺菌時間の間放出する。このとき、予め設定された殺菌時間は、スイッチ部３１０を通して使用者によって入力された情報であるか、イオンマッサージ装置を設計するときに決定された時間である。
【００２７】
水分感知部３６１は、ヘッド３６０に内蔵されるもので、接触する皮膚に流れる電流量を用いて、接触する皮膚の水分程度を検出し、この検出された水分程度による水分感知信号を出力する。
【００２８】
イオン出力部３６２は、陽イオンまたは陰イオンを出力し、超音波出力部３６３は、３ＭＨｚ以上の高周波を出力する。このとき、超音波出力部３６３は、３ＭＨｚ以上の超音波を発振させるためのトランスデューサ（Transducer）及び周波数を３ＭＨｚ以上に自動制御するＰＬＬ（Phase Locked Loop）回路を含む。
【００２９】
皮膚タイプ検出部３７０は、水分感知信号を用いて、接触する皮膚のタイプを決定する。
【００３０】
ディスプレイ部３８０は、皮膚タイプ検出部３７０によって決定された皮膚のタイプを視覚的に表示する。
【００３１】
図７は、本発明の他の実施形態に係る折り畳み式イオンマッサージ装置のブロック図である。
【００３２】
スイッチ部４１０は、モード選択、タイマー情報入力などの使用者入力のためのインターフェースを提供する。
【００３３】
モード選択部４２０は、スイッチ部４１０を通した使用者入力に従って、イオン出力部４６２のイオン出力周期及び超音波出力部４６３の高周波出力周期を決定する。
【００３４】
好ましくは、スイッチ部４１０及びモード選択部４２０によって決定されるモードは、顔クレンジングモード、イオンマッサージモード、イオン導入モード、イオンリフティングモードのうち何れか一つである。ここで、顔クレンジングモードは、陽イオンのみを放出するモード、イオンマッサージモードは、陽イオン及び陰イオンを高速で放出するモード、イオン導入モードは、陽イオン及び陰イオンを調節してビタミンの皮膚吸収を促進させるモード、イオンリフティングモードは、陽イオン及び陰イオンを低速で放出するモードである。これらのモードに従って、マッサージ制御部４３０は、イオン生成部４５２を制御して陽イオンの放出速度、陰イオンの放出速度、陽イオンの放出量及び陰イオンの放出量を調節できる。
【００３５】
マッサージ制御部４３０は、モード選択部４２０によって決定されたイオン出力周期及び高周波出力周期に従って、イオン出力部４６２及び超音波出力部４６３を制御する。好ましくは、マッサージ制御部４３０は、モード選択部４２０によって決定されたモードがクレンジングモードである場合、イオン出力部４６２が陰イオンよりも多量の陽イオンを出力するようにイオン生成部４５２を制御し、モード選択部４２０によって決定されたモードがニュートリションモードである場合、イオン出力部４６２が陽イオンよりも多量の陰イオンを出力するようにイオン生成部４５２を制御する。好ましくは、マッサージ制御部４３０は、イオン出力及び超音波出力が５秒間隔で交互に行われるようにイオン生成部４５２及び超音波発振部４５３を制御できる。
【００３６】
折り畳み状態感知部４４０は、ヒンジ部２３０に連結されてヒンジ部２３０の動きを磁気的に感知し、上板と下板とを広げた状態であるかどうかを示す折り畳み状態感知信号を出力する。
【００３７】
紫外線出力部４５０は、ヘッド４６０を殺菌するための殺菌用紫外線ＬＥＤを含み、折り畳み状態感知信号に従って、上板と下板とを折り畳んだときに、殺菌用紫外線ＬＥＤを通して殺菌用紫外線を予め設定された殺菌時間の間放出する。
【００３８】
水分感知部４６１は、マッサージ制御部４３０の制御に従って、接触する皮膚に流れる電流量を用いて接触する皮膚の水分程度を検出し、この検出された水分程度による水分感知信号を出力する。
【００３９】
イオン生成部４５２は、マッサージ制御部４３０の制御に従ってイオン発生に必要な電極を形成し、これら電極を用いて陽イオンまたは陰イオンを生成する。すなわち、イオン生成部４５２は、モード選択部４２０によるイオン出力周期に従って陽イオンまたは陰イオンを生成し、この生成された陽イオンまたは陰イオンをイオン出力部４６２に出力する。
【００４０】
超音波発振部４５３は、所定のコイル及びキャパシタを用いて３MHz以上の高周波を発振させる。すなわち、超音波発振部４５３は、モード選択部４２０による高周波出力周期に従って高周波を発振させ、この高周波を超音波出力部に伝達する。このとき、超音波発振部４５３は、３ＭＨｚ以上の超音波を発振させるためのトランスデューサ及び３MHz以上に周波数を自動制御するＰＬＬ回路を含む。
【００４１】
イオン出力部４６２は、イオン生成部４５２によって生成された陽イオンまたは陰イオンを出力し、超音波出力部４６３は、超音波発振部４５３によって発振された高周波を出力する。
【００４２】
皮膚タイプ検出部４７０は、水分感知信号を用いて、接触する皮膚のタイプを決定する。
【００４３】
ディスプレイ部４８０は、皮膚タイプ検出部４７０によって決定された皮膚のタイプを視覚的に表示する。好ましくは、ディスプレイ部４８０は、皮膚タイプ検出部４７０によって決定された皮膚のタイプに従って、しかめた顔形状、微笑む顔形状または笑う顔形状のうち何れか一つを表示できる。好ましくは、表示される顔形状は、本発明に係る折り畳み式イオンマッサージ装置に設置されたファームウエアプログラムによって変更されるように設計できる。
【００４４】
バックライト部４９０は、折り畳み状態感知信号を用いて、上板と下板とを広げたときにディスプレイ部４８０に光源を提供する。
【００４５】
ブザー４９５は、イオン出力周期及び高周波出力周期によるモード情報と、スイッチ部４１０によって入力され、イオン出力及び高周波出力を特定時間に終了させるためのタイマー情報を音響で出力する。
【００４６】
ＵＳＢインターフェース部（図示せず）は、ＰＣから予め測定された個人の皮膚タイプ及びその他の情報をダウンロードしたり、マッサージ制御部４３０のための制御プログラムをダウンロードするためのインターフェースを提供する。この場合、マッサージ制御部４３０は、ファームウエアを設置できる非揮発性メモリ素子を含む。
【００４７】
図８は、図６に示したスイッチ部３１０及び折り畳み状態感知部３４０の回路図である。
【００４８】
図８に示した各抵抗Ｒ５１〜Ｒ５４は、各スイッチＳＷ１〜ＳＷ４の動作可否を感知するためのセンサに所定の電流または電圧を伝達するものである。ＶＤＤは、回路に印加される正（＋）の電源電圧を意味する。
【００４９】
ボタンタイプの各スイッチＳＷ１〜ＳＷ３は、スイッチ部３１０のためのもので、残りのスイッチＳＷ４は、ホール素子をヒンジ部２３０に設置した形態であり、折り畳み状態感知部３４０のためのものである。すなわち、ヒンジ部２３０の動きによってスイッチＳＷ４が開閉されるが、このとき、上板と下板とを広げた状態であるかどうかを示す折り畳み状態感知信号が出力される。
【００５０】
図９は、図６に示した紫外線出力部３５０の回路図である。
【００５１】
図９に示した各抵抗Ｒ６１〜Ｒ６２は、トランジスタＱ６をオン／オフし、紫外線（ＵＶ）殺菌用ＬＥＤ Ｄ６に電流を供給するものである。ＶＢＡＴは、回路に印加される正（＋）の電源であり、バッテリー２６０の電圧を意味する。
【００５２】
紫外線出力信号は、折り畳み状態感知信号が上板と下板との折り畳まれた状態を示すときに入力される信号である。紫外線出力信号が入力されてトランジスタＱ６がオンになると、紫外線（ＵＶ）殺菌用ＬＥＤ( Ｄ６)を通して電流が流れ、紫外線（ＵＶ）殺菌用ＬＥＤ (Ｄ６)から紫外線が放出される。
【００５３】
図１０は、図６に示した水分感知部３６１の回路図である。
【００５４】
図１０に示した各抵抗Ｒ７１〜Ｒ７２は、トランジスタＱ７に適切な電流または電圧を提供するためのものである。
【００５５】
水分感知部３６１に連結された二つの端子ＤＥＴ１，ＤＥＴ２が皮膚に接触すると、二つの端子ＤＥＴ１，ＤＥＴ２の間に微細な電流が流れる。すなわち、バッテリー電圧ＶＢＡＴに連結された端子ＤＥＴ１より低い電圧を有する端子ＤＥＴ２方向に電流が流れるが、この電流または電圧は、接触する皮膚のインピーダンスによって決定される。このとき、皮膚のインピーダンスは、皮膚に含まれた水分の程度に大きな影響を受けるので、二つの端子ＤＥＴ１，ＤＥＴ２の間を流れる電流の強さ、または二つの端子ＤＥＴ１，ＤＥＴ２間の電圧を測定し、接触する皮膚に含まれた水分の程度を検出できる。すなわち、二つの端子ＤＥＴ１，ＤＥＴ２間を流れる電流の強さ、または二つの端子ＤＥＴ１，ＤＥＴ２間の電圧がトランジスタＱ７によって増幅されることで、水分感知信号が出力される。
【００５６】
以下では、本発明の一実施形態を図面に基づいて説明したが、これは例示的なものにすぎず、当該技術分野で通常の知識を有する者によって多様に変形可能である。さらに、これら変形は本発明の技術的範囲内のものである。
【図面の簡単な説明】
【００５７】
【図１】本発明の一実施形態に係る折り畳み式イオンマッサージ装置を広げた状態の外観正面図である。
【図２】本発明の一実施形態に係る折り畳み式イオンマッサージ装置を広げた状態の外観側面図である。
【図３】本発明の一実施形態に係る折り畳み式イオンマッサージ装置を折り畳んだ状態の外観正面図である。
【図４】本発明の一実施形態に係る折り畳み式イオンマッサージ装置を折り畳んだ状態の外観側面図である。
【図５】本発明の一実施形態に係る折り畳み式イオンマッサージ装置を折り畳んだ状態の外観背面図である。
【図６】本発明の実施形態に係る折り畳み式イオンマッサージ装置のブロック図である。
【図７】本発明の他の実施形態に係る折り畳み式イオンマッサージ装置のブロック図である。
【図８】図６に示したスイッチ部及び折り畳み状態感知部の回路図である。
【図９】図６に示した紫外線出力部の回路図である。
【図１０】図６に示した水分感知部の回路図である。
【図１１】従来のイオンマッサージ装置を示す図である。
【符号の説明】
【００５８】
２１０…ヘッド
２２０…紫外線出力部
２３０…ヒンジ部
２４１…顕微鏡カメラ
２４２，２４３，２４４…操作ボタン
２８０…ディスプレイ部  
【図１】
2008073498.tif 000003
【図２】
2008073498.tif 000004
【図３】
2008073498.tif 000005
【図４】
2008073498.tif 000006
【図５】
2008073498.tif 000007
【図６】
2008073498.tif 000008
【図７】
2008073498.tif 000009
【図８】
2008073498.tif 000010
【図９】
2008073498.tif 000011
【図１０】
2008073498.tif 000012
【図１１】
2008073498.tif 000013